(57)【要約】【課題】パチンコ台が島に簡易に着脱可能で、しかもパチンコ台を所定の傾斜角度で傾斜させて固定できる装置を提供する。【解決手段】枠形状の島にパチンコ台を嵌め込んで固定する取付け装置であって、上部取付け装置は、島の上部枠に取り付けられる固定子と、背面支持部材及び掛け爪を備えて前後に移動可能な可動子と、可動子を固定子に対して前後に移動し、その移動位置を保持する位置調整子とを具備している。下部取付け装置は、島の下部枠に取り付けられる基台と、パチンコ台の背面を支える背面支持部材を備える可動台とからなり、可動台は、その先端を突出させた作動ロッドと、作動ロッドに設けた作動駒と、作動ロッドと直交させた枢軸と、先端に刺し込みピンを備えたハンマー部材と、ハンマー部材の回動を制御するように、基端部材を作動駒に当接載置させた構成である。【選択図】　　　　　図２
2004081762.tif 000002
【特許請求の範囲】
【請求項１】
パチンコ台の上部及び下部をそれぞれ固定するパチンコ台の取付け装置において、
前記上部の取付け装置は、
島の上部枠に取り付ける取付け手段を備えると共に、パチンコ台正面側に延びるガイド部材を備えた固定子と、
前記パチンコ台の背面を支える背面支持部材を備え、かつ、前記ガイド部材に沿って前後に移動可能な可動子と、
前記可動子を前記固定子に対して前後に移動させ、その移動位置を保持する位置調整子と、を具備し、
前記パチンコ台を枠状の前記島に嵌合操作する際、前記パチンコ台がその位置を調整できるようにして固定されることを特徴とするパチンコ台の取付け装置。
【請求項２】
前記可動子は、刺し爪及び該刺し爪の支持板を備え、前記支持板を前記可動子に枢支することにより、前記支持板を回動させて、前記刺し爪を前記パチンコ台の頂部に刺し込むことを特徴とする請求項１に記載のパチンコ台の取付け装置。
【請求項３】
前記刺し爪の支持板は、その後方を屈曲させて形成し、また、前記可動子に対し、上向きに傾斜するように、その枢軸を前方に設けて構成したことを特徴とする請求項２に記載のパチンコ台の取付け装置。
【請求項４】
前記パチンコ台を前後から挟持するため、前記背面支持部材に対峙させて、前記可動子の先端に掛け爪を設け、前記掛け爪が前記パチンコ台の正面上部枠を前側で支えることを特徴とする請求項１ないし３のいずれか１項に記載のパチンコ台の取付け装置。
【請求項５】
前記掛け爪及び前記刺し爪は、連結板を介して連繋され、連動して進退することを特徴とする請求項１ないし４のいずれか１項に記載のパチンコ台の取付け装置。
【請求項６】
前記掛け爪を枢支して設けると共に、前記掛け爪の先端が、常時、上向きに偏奇されるように、前記可動子には、弾持手段が備えられていることを特徴とする請求項１ないし５のいずれか１項に記載のパチンコ台の取付け装置。
【請求項７】
前記ガイド部材は、前記可動子を挟むように配置された左右一対のガイド板からなり、また、互いに対向して、該ガイド板には前後に延びるガイド溝が形成され、これに沿って前記可動子の両側部がガイドされ、前記可動子が前後にスライドするように構成されたことを特徴とする請求項１ないし６のいずれか１項に記載のパチンコ台の取付け装置。
【請求項８】
前記可動子の背面支持部材で前記パチンコ台の背面側を支える際に、その前後に関して、配置を調整するため、前記位置調整子は、基端に調整つまみを備えた雄ねじであり、前記可動子に設けた雌ねじに螺合して、その先端で前記可動子を前後に移動調整する構成であることを特徴とする請求項１ないし７のいずれか１項に記載のパチンコ台の取付け装置。
【請求項９】
枠形状の島にパチンコ台を嵌め込んだ際に前記パチンコ台の上部及び下部をそれぞれ固定するパチンコ台の取付け装置において、
前記下部の取付け装置は、
パチンコ台の背部台枠に対応して、島の下部枠に取り付けられる基台と、
前記パチンコ台の背面を支える背面支持部材を備え、前記基台に設けられたガイド手段に沿って、前後方向へ移動可能な可動台と、
前記可動台を前記基台に対して前後に移動させ、その移動位置を保持する蝶ネジと、
前記背面支持部材より前方へ、その先端を突出させた作動ロッドと、
前記作動ロッドに設けた作動駒と、
前記作動駒を前記背面支持部材に押し付けて付勢するように設けた第１の付勢手段と、
前記作動ロッドと直交させ、前記可動台に設けた枢軸と、
前記枢軸に取付けられ、先端に刺し込みピンを備えたハンマー部材と、
前記ハンマー部材を振り下ろす方向に付勢する第２の付勢手段と、
前記ハンマー部材の回動を制御するように、前記作動駒に当接載置させて、前記ハンマー部材の基端に設けた基端部材と、を具備しており、
前記パチンコ台を枠状の島に嵌合操作する際に、前記作動ロッドを後方に押し込み、前記作動駒を移動させて、前記作動駒と前記基端部材との当接載置状態を外し、前記刺し込みピンを前記パチンコ台の枠材に刺し込むことを特徴とするパチンコ台の取付け装置。
【請求項１０】
前記第２の付勢手段は、前記枢軸周りに巻回され、一方を前記枢軸に、他方を前記可動台に固定した捩りばねであることを特徴とする請求項９に記載のパチンコ台の取付け装置。
【請求項１１】
前記枢軸にはラチェットホイルが装着され、前記可動台には、前記ラチェットホイルの回動をロックするラチェット爪が装備されていることを特徴とする請求項９に記載のパチンコ台の取付け装置。
【請求項１２】
前記第２の付勢手段は、前記ラチェットホイルとハンマー部材の基端部材との間で両端が固定され、前記枢軸周りに巻回した捩りばねで構成されていることを特徴とする請求項１１に記載のパチンコ台の取付け装置。
【請求項１３】
前記ハンマー部材は、その基端側で、連結軸を介して、前記操作子に連繋され、前記操作子は、リンクを介して、前記可動台の後壁に支持されていることを特徴とする請求項９ないし１２のいずれか１項に記載のパチンコ台の取付け装置。
【請求項１４】
前記作動駒には、前記作動ロッドの両側で、先端が前記作動ロッドの先端と同一面を形成するように、補助ロッドが設けられていることを特徴とする請求項９ないし１３のいずれか１項に記載のパチンコ台の取付け装置。
【請求項１５】
前記蝶ネジは、前記基台の支持部に回動自在に支持された雄ねじで構成され、前記可動台に形成され雌ねじに螺合され、前記基台に設けられた目盛板に合わせて前記可動台の相対位置を決定することを特徴とする請求項９ないし１４のいずれか１項に記載のパチンコ台の取付け装置。
【発明の詳細な説明】
【０００１】
【発明の属する技術分野】
本発明は、枠形状の島にパチンコ台を固定して取付けるパチンコ台取付け装置に関する。
【０００２】
【従来の技術】
パチンコ台は通常店内に設置されている枠形状に形成した木製の島に取り付ける。パチンコ台はその島に嵌め込んで取り付けるが、固定するために、パチンコ台を島の内側にセットし、パチンコ台から島に釘を打ち込む。この釘を打ち込む作業は、傾斜器でパチンコ台の傾きを計測して正確に釘を打ち付ける必要があり、高度な技術を要するものとなっていた。また、釘を打込むことによりパチンコ台及び島に傷がつき、しかも、何度かパチンコ台を交換すると、パチンコ台は新しくなるが、島は同じものが繰返し使用されるため、島が損傷し、これによりパチンコ台がうまく固定できないなどの問題があった。
このような問題を解決するため、釘を用いずにパチンコ台を島に固定可能としたパチンコ台取付け装置として、実用新案登録第３００８９１１号公報には、クランプでパチンコ台を島に取り付ける取付け装置が示されている。この取付け装置は、ネジを緩めたり締付けたりしなければならず操作が面倒であり、また、多くの手間と時間がかかるものとなっている。
【０００３】
【発明が解決しようとする課題】
本発明は、パチンコ台が島に簡易に着脱可能で、しかもパチンコ台を任意の傾斜角度で傾斜させて固定できる装置を提供する。
【０００４】
【課題を解決するための手段】
上記課題を解決するために、請求項１の発明は、パチンコ台の上部及び下部をそれぞれ固定するパチンコ台の取付け装置において、前記上部の取付け装置は、島の上部枠に取り付ける取付け手段を備えると共に、パチンコ台正面側に延びるガイド部材を備えた固定子と、前記パチンコ台の背面を支える背面支持部材を備え、かつ、前記ガイド部材に沿って前後に移動可能な可動子と、前記可動子を前記固定子に対して前後に移動させ、その移動位置を保持する位置調整子と、を具備し、前記パチンコ台を枠状の前記島に嵌合操作する際、前記パチンコ台がその位置を調整できるようにして固定されることを特徴とする。
請求項２の発明は、前記可動子が、刺し爪及び該刺し爪の支持板を備え、前記支持板を前記可動子に枢支することにより、前記支持板を回動させて、前記刺し爪を前記パチンコ台の頂部に刺し込むことを特徴とする。
請求項３の発明は、前記刺し爪の支持板は、その後方を屈曲させて形成し、また、前記可動子に対し、上向きに傾斜するように、その枢軸を前方に設けて構成したことを特徴とする請求項２に記載のパチンコ台の取付け装置。
請求項４の発明は、前記パチンコ台を前後から挟持するため、前記背面支持部材に対峙させて、前記可動子の先端に掛け爪を設け、前記掛け爪が前記パチンコ台の正面上部枠を前側で支えることを特徴とする。
請求項５の発明は、前記掛け爪及び前記刺し爪は、連結板を介して連繋され、連動して進退することを特徴とする。
請求項６の発明は、前記掛け爪を枢支して設けると共に、前記掛け爪の先端が、常時、上向きに偏奇されるように、前記可動子には、弾持手段が備えられていることを特徴とする。
【０００５】
請求項７の発明は、前記ガイド部材が、前記可動子を挟むように配置された左右一対のガイド板からなり、また、互いに対向して、該ガイド板には前後に延びるガイド溝が形成され、これに沿って前記可動子の両側部がガイドされ、前記可動子が前後にスライドするように構成されたことを特徴とする。
請求項８の発明は、前記可動子の背面支持部材で前記パチンコ台の背面側を支える際に、その前後に関して、配置を調整するため、前記位置調整子は、基端に調整つまみを備えた雄ねじであり、前記可動子に設けた雌ねじに螺合して、その先端で前記可動子を前後に移動調整する構成であることを特徴とする。
【０００６】
請求項９の発明は、枠形状の島にパチンコ台を嵌め込んだ際に前記パチンコ台の上部及び下部をそれぞれ固定するパチンコ台の取付け装置において、前記下部の取付け装置が、パチンコ台の背部台枠に対応して、島の下部枠に取り付けられる基台と、前記パチンコ台の背面を支える背面支持部材を備え、前記基台に設けられたガイド手段に沿って、前後方向へ移動可能な可動台と、前記可動台を前記基台に対して前後に移動させ、その移動位置を保持する蝶ネジと、前記背面支持部材より前方へ、その先端を突出させた作動ロッドと、前記作動ロッドに設けた作動駒と、前記作動駒を前記背面支持部材に押し付けて付勢するように、設けた第１の付勢手段と、前記作動ロッドと直交させ、前記可動台に設けた枢軸と、前記枢軸に取付けられ、先端に刺し込みピンを備えたハンマー部材と、前記ハンマー部材を振り下ろす方向に付勢する第２の付勢手段と、前記ハンマー部材の回動を制御するように、前記作動駒に当接載置させて、前記ハンマー部材の基端に設けた基端部材と、を具備しており、前記パチンコ台を枠状の島に嵌合操作する際に、前記作動ロッドを後方に押し込み、前記作動駒を移動させて、前記作動駒と前記基端部材との当接載置状態を外し、前記刺し込みピンを前記パチンコ台の枠材に刺し込むことを特徴とする。
【０００７】
請求項１０の発明は、前記第２の付勢手段が、前記枢軸周りに巻回され、一方を前記枢軸に、他方を前記可動台に固定した捩りばねであることを特徴とする。請求項１１の発明は、前記枢軸にラチェットホイルが装着され、前記可動台には、前記ラチェットホイルの回動をロックするラチェット爪が装備されていることを特徴とする。
請求項１２の発明は、前記第２の付勢手段が、前記ラチェットホイルとハンマー部材の基端部材との間で両端が固定され、前記枢軸周りに巻回した捩りばねで構成されていることを特徴とする。
請求項１３の発明は、前記ハンマー部材が、その基端側で、連結軸を介して、前記操作子に連繋され、前記操作子は、リンクを介して、前記可動台の後壁に支持されていることを特徴とする。
請求項１４の発明は、前記作動駒に、前記作動ロッドの両側で、先端が前記作動ロッドの先端と同一面を形成するように、補助ロッドが設けられていることを特徴とする。
請求項１５の発明は、前記蝶ネジが、前記基台の支持部に回動自在に支持された雄ねじで構成され、前記可動台に形成され雌ねじに螺合され、前記基台に設けられた目盛板に合わせて前記可動台の相対位置を決定することを特徴とする。
【０００８】
これにより、パチンコ台（パチンコ台の木枠）が島（木枠）に簡易に着脱できるようになる。また、パチンコ台に所定の傾斜角度を持たせて取付けたり、取付けられたパチンコ台の傾斜角度が微妙に調整できるものとなる。
【０００９】
【発明の実施の形態】
本発明の実施の形態を図面に基づいて詳細に説明する。図１は、本発明のパチンコ台の取付け装置に於いて、第１の実施の形態を示す上部取付け装置１を説明する説明図である。この上部取付け装置１は、枠形状に形成した木製の島の上枠に固定される固定子３と、この固定子３とスライド可能に形成した可動子１０と、可動子１０の位置が特定されるように位置調整子２０とを備え、それぞれが連結されたものである。図２は、固定子３と可動子１０とが、位置調整子２０で連結されている状態を示した正面図である。図３は、可動子１０の平面図であり、図４は、図２の平面図を示したものである。
【００１０】
これら図１ないし図４に示すように、固定子３は、可動子１０を挟むように配置した左右一対のガイド板２と、ガイド板２とは立直させて連設した立直板７と、位置調整子２０を挿通させる挿通部８とから構成されている。このガイド板２は、パチンコ台の正面側に延びるように形成されており、さらに、ネジ孔１１（取付け手段）が設けられている。固定子３を島に固定する際には、立直板７を島の上部枠背面に面接触させると共に、ガイド板２を、島の上部枠底面に押し付けてネジで固定する。
【００１１】
ガイド板２には、その内側に互いに対向させてガイド溝４が前後方向に形成されている。可動子１０の両側部には、係合凸部１３が設けられており、この係合凸部１３をガイド溝４に係合させて前後方向に可動子１０をスライドさせる。可動子１０には、さらに、パチンコ台の背面を支える背面支持部材１５が、その後部に備えられると共に、パチンコ台の正面上部枠を前側で支えるように、掛け爪２１が、その前部で軸１２に枢支されて設けられている。軸１２には、コイルバネ１６（弾持手段）が巻き回されて備えられており、掛け爪２１の先端は、常時、上向きに偏奇されるように付勢されている。また、可動子１０に枢支され、その反対端側で、連結子２２を介して、掛け爪２１の反対端側に連繋されて、刺し爪２４を有する刺し爪の支持板２３が設けられている。
【００１２】
可動子１０の背面支持部材１５で、パチンコ台の背面側を支える際に、その前後に関して、配置を調整するため、位置調整子２０は、基端に調整つまみ６及び雄ネジ９を備えている。この雄ネジ９は、固定子３の後端に設けた挿通部８を貫通し、可動子１０の後端に設けた螺合部（雌ねじ）１４に螺合する。
【００１３】
図５は、第２の実施の形態を示す上部取付け装置１の正面図であり、図６は、その平面図である。この上部取付け装置１は、図５、図６に示すように、固定子３と、この固定子３とスライド可能に形成した可動子１０と、可動子１０の位置が特定されるように位置調整子２０とを連結して構成したものである。この実施の形態における固定子３は、枠形状に形成した木製の島の上枠に固定する際に、島の上枠を、上下で挟み込み、上から蝶ネジで固定するように、形成されたものである。さらに、可動子１０には、パチンコ台の頂部に刺し込む刺し爪２４を２個有して形成された刺し爪の支持板２３が、軸１２で枢支して設けられている。これにより、パチンコ台を枠状の島に嵌合操作する際に、刺し爪の支持板２３を回動させて、刺し爪２４をパチンコ台の頂部に刺し込むものである。また、刺し爪の支持板２３は、その後方を屈曲もしくは湾曲させて形成し、島の上枠に当接しやすいものとしている。さらに、可動子１０に対し、刺し爪の支持板２３が上向きに傾斜するように、軸１２は、刺し爪の支持板２３を、その前方で枢軸している。
【００１４】
図７は、第３の実施の形態を示す上部取付け装置１の平面図であり、図８はその正面図、図９はその側面図である。この上部取付け装置１は、図７、図８、図９に示すように、固定子３と、この固定子３とスライド可能に形成した可動子１０と、可動子１０の位置が特定されるように位置調整子２０とを連結して構成したものである。この実施の形態における固定子３は、立直板７と、上向き爪２６と、ネジ孔１１とを備え、島の上部枠背面に立直板７を面接触させると共に、上向き爪２６を島の上部枠底面に刺し込み、下からネジで固定する。一方、可動子１０は、その後端に背面支持部材１５を備え、先端には掛け爪２１が対峙するように設けられている。また、背面支持部材１５の背面には、雄ネジ９が連結されており、調整ツマミ６の回転で、可動子１０は、前後方向移動可能に構成されている。即ち、この可動子１０は、雄ネジ９を前後方向に進退させることにより、固定子３のガイド溝４に沿って移動可能である。尚、本実施の形態において、調整ツマミ６は、その一端を露出させて、固定子３に連設された枠体に収納され、雄ネジ９を挿通している。また、調整ツマミ６に一定間隔で、凹凸を形成し、板バネ２８を当接させることにより、わずかな回転でも知覚できるものである。
【００１５】
上部取付け装置１は、以上のように構成されているので、パチンコ台Ｂを枠状の島Ａに嵌合操作する際の実施例を以下に説明する。図１０、図１１は、第１の実施の形態における上部取付け装置１が、枠状の島Ａに取り付けられたものであり、図１０、図１１に示すように、パチンコ台（パチンコ台の枠）Ｂの上面で掛け爪２１が回動して、掛け爪２１先端を下方に進出させることで、これをパチンコ台Ｂの正面上部枠の前側に誘導し、背面支持部材１５及び掛け爪２１で前後からパチンコ台Ｂが挟持され、また、掛け爪２１と連動して回動する刺し爪２４が、パチンコ台Ｂの頂部に刺し込まれる。
第２の実施の形態における上部取付け装置１においても、図は省略するが、同様に作用する。即ち、図５、図６、図１０、図１１に記載の符号で説明すると、パチンコ台（パチンコ台の枠）Ｂの上面で、刺し爪２４の支持板２３を回動させて、刺し爪２４を固定子３の下方に進出させ、刺し爪２４をパチンコ台の頂部に刺し込むものである。
【００１６】
図１２は、第３の実施の形態における上部取付け装置１が、枠状の島Ａに取り付けられ、この島Ａにパチンコ台Ｂを嵌合操作した状態を示したものである。この図１２に示したように、パチンコ台（パチンコ台の枠）Ｂの上面で掛け爪２１が係合することにより、背面支持部材１５及び掛け爪２１で前後からパチンコ台Ｂが挟持され、また、固定子３の上向き爪２６は、島Ａの上部枠底面に刺し込まれ、下からネジで固定（図省略）されている。この実施の形態においては、島Ａに掛け爪２１や刺し爪２４が回動する空間が必要ないものとなっている。以上説明したように、それぞれの第１、２、３の各実施の形態における上部取付け装置１は、パチンコ台が島に固定された後であっても、位置調整子２０でパチンコ台上部を前後に移動させることができ、これにより、パチンコ台の傾斜が微調整できるものである。
【００１７】
図１３は、本発明のパチンコ台の取付け装置に於いて、下部取付け装置３０の構成を説明するために示した正面図である。図１４は、図１３に対応させて、その一部を説明するために示した平面図である。図１５は、下部取付け装置３０を示した正面図である。これら、図１３乃至図１５に示すように、下部取付け装置３０は、枠形状に形成した島の下枠に固定される基台５０と、蝶ネジ５１で基台５０に対して前後移動可能な可動台４０とで大略構成されている。
【００１８】
基台５０は、可動台４０を挟むように配置した左右一対のガイド板５６と、そのガイド板５６の後部に設けられ、可動台４０の後部を載置するように設けられた載置板５３と、ガイド板５６とは立直させて設けた支持部５７とからなる。また、支持部５７には、可動台４０の前後移動方向に計測可能な目盛板５２と、蝶ネジ５１が設けられ、ガイド板５６には、島にネジ等で固定するための通穴５５が形成されている。蝶ネジ５１は基台５０の支持部５７に回動自在に支持された雄ねじで構成され、可動台４０に形成された雌ねじに螺合され、基台５０に設けられた目盛板５２に合わせて可動台４０の相対位置を決める。
【００１９】
可動台４０は、その前面に、パチンコ台の背面と接触する背面支持部材３７を備え、また、基台５０に設けられたガイド板５６に沿って移動できるようにガイド板４８を備えている。このガイド板４８は、可動台４０の基板４９の前部の底面に貼り付けられており、これにより、基台５０の後部に設けられた載置板５３上に、可動台４０の基板４９が載置されて、載置板５３とガイド板４８とが同一底面を形成する。
【００２０】
可動台４０には、パチンコ台の背面に接触押圧された際に、後退するように、背面支持部材３７より前方へ、その先端を突出させて作動ロッド４３が設けられている。また、可動台４０には、作動ロッド４３に固定させて設けた作動駒４５と、作動駒４５を背面支持部材３７に内側から押し付けて付勢するように、圧縮コイルスプリング（第１の付勢手段）４６とが備えられている。さらに、可動台４０には、作動ロッド４３と直交させて、可動台４０の側壁に枢軸３４を枢支し、その枢軸３４に刺し込みピン４２を備えたハンマー部材４１を固定して取付ける。枢軸３４には、一方を枢軸３４に、他方を可動台４０の側壁に固定して捩じりコイルスプリング３３を、巻き回して取付ける。即ち、この捩じりコイルスプリング（第２の付勢手段）３３は、枢軸３４を回動させるように付勢するものであり、その回動方向は、ハンマー部材４１を振り下ろす方向である。
【００２１】
ハンマー部材４１の回動は、ハンマー部材４１の基端に設けた基端部材３１を、作動ロッド４３に固定させて設けた作動駒４５に、当接載置させていることにより制御されている。即ち、ハンマー部材４１は、振り下ろす方向に付勢されているが、その回動を作動駒４５で抑制されたものとなっている。これにより、パチンコ台を枠状の島に嵌合操作する際に、作動ロッド４３の先端をパチンコ台で後方に押し込み、作動駒４５を移動させて、作動駒４５と基端部材３１との当接載置状態を外すことにより、ハンマー部材４１に備えた刺し込みピン４２をパチンコ台の枠材に刺し込むことができる。図１６は、パチンコ台の枠材に、刺し込みピン４２を刺し込んだ作動状態を示した正面図である。また、このように、パチンコ台を押しこむ際に、作動ロッド４３だけでは、パチンコ台の枠材に食い込み、作動ロッド４３が作動し難い場合がある。このような状態を回避するものとして、作動駒４５に補助ロッド４４を設けてもよい。この補助ロッド４４は、作動ロッド４３の両側で、先端が作動ロッド４３の先端と同一面を形成するように、作動駒４５の底面に設けられる。
【００２２】
以上、基本的な構成を詳述したが、他の実施の形態として、図１３、図１５に示すような操作子３８を設けてもよい。この操作子３８は、ハンマー部材４１を、捩じりコイルスプリング３３の付勢力に抗して、持ち上げ易くするためのものであり、連結軸３５を介してハンマー部材４１の基端側で連結されると共に、リンク３６を介して、可動台４０の後壁に支持されている。これにより、一度刺し込んだ刺し込みピン４２を抜いて、新たにセットできる。
【００２３】
また、このように、一度刺し込んだ刺し込みピン４２を抜き易くするものとして、枢軸３４に、ラチェットホイル５９を装着し、可動台４０の側壁に、ラチェットホイル５９の回動をロックするラチェット爪３８を装備してもよい。この実施の形態において、捩じりコイルスプリング３３は、一端をラチェットホイル５９に固定し、他端をハンマー部材４１の基端部材３１に固定して、枢軸３４の周りに巻回して構成する。これにより、枢軸３４の回動は、ラチェット爪３８で阻止されるので、捩じりコイルスプリング３３の付勢力に抗して、ハンマー部材４１が持ち上げ易くなる。
【００２４】
【発明の効果】
本発明は、以上説明したように構成されているので、枠形状の島にパチンコ台を嵌め込む際に、パチンコ台の枠が、それぞれ上部及び下部で、容易に固定や取り外しができる。また、上部及び下部の各取付け装置は、それぞれ、パチンコ台を前後に進退させることができるので、所定の傾斜角度を持たせてパチンコ台を維持できる。
【図面の簡単な説明】
【図１】上部取付け装置（第１の実施の形態）の構成を説明する説明図である。
【図２】上部取付け装置（第１の実施の形態）の正面図である。
【図３】可動子の平面図である。
【図４】上部取付け装置（第１の実施の形態）の平面図である。
【図５】上部取付け装置（第２の実施の形態）の正面図である。
【図６】上部取付け装置（第２の実施の形態）の平面図である。
【図７】上部取付け装置（第３の実施の形態）の平面図である。
【図８】上部取付け装置（第３の実施の形態）の正面図である。
【図９】上部取付け装置（第３の実施の形態）の側面図である。
【図１０】上部取付け装置（第１の実施の形態）の取付けを示す説明図である。
【図１１】上部取付け装置（第１の実施の形態）の取付けを示す説明図である。
【図１２】上部取付け装置（第３の実施の形態）の取付けを示す説明図である。
【図１３】下部取付け装置の構成を説明する説明図である。
【図１４】下部取付け装置の構成を説明する説明図である。
【図１５】下部取付け装置を示した正面図である。
【図１６】下部取付け装置の取付けを示す説明図である。
【符号の説明】
１　上部取付け装置
２　ガイド板
３　固定子
４　ガイド溝
５　蝶ネジ
６　調整ツマミ
７　立直板
８　挿通部
９　雄ネジ
１０　可動子
１１　ネジ孔
１２　軸
１３　係合凸部
１４　螺合部
１５　背面支持部材
１６　コイルバネ（弾持手段）
２０　位置調整子
２１　掛け爪
２２　連結板
２３　刺し爪の支持板
２４　刺し爪
２５　挿通孔
２６　上向き爪
２７　枠体
２８　板バネ
３０　下部取付け装置
３１　基端部材
３３　捩じりコイルスプリング
３４　枢軸
３５　連結軸
３６　リンク
３７　背面支持部材
３８　操作子
４０　可動台
４１　ハンマー部材
４２　刺し込みピン
４３　作動ロッド
４４　補助ロッド
４５　作動駒
４６　圧縮コイルスプリング
４７　アーム
４８　ガイド板
４９　基板
５０　基台
５１　蝶ネジ
５２　目盛板
５３　載置板
５４　ガイド溝
５５　通穴
５６　ガイド板
５７　支持部
５８　ラチェット爪
５９　ラチェットホイル
Ａ　島
Ｂ　パチンコ台
【図１】
2004081762.tif 000003
【図２】
2004081762.tif 000004
【図３】
2004081762.tif 000005
【図４】
2004081762.tif 000006
【図５】
2004081762.tif 000007
【図６】
2004081762.tif 000008
【図７】
2004081762.tif 000009
【図８】
2004081762.tif 000010
【図９】
2004081762.tif 000011
【図１０】
2004081762.tif 000012
【図１１】
2004081762.tif 000013
【図１２】
2004081762.tif 000014
【図１３】
2004081762.tif 000015
【図１４】
2004081762.tif 000016
【図１５】
2004081762.tif 000017
【図１６】
2004081762.tif 000018